(57)【要約】      （修正有）【課題】吊ボルトに簡単に取付けることができると共に、取付け後、ケーブルの引っ張り作業により生じる一方からの大きな負荷に耐えて簡単に吊ボルトから外れない、また、経済的にも有利となる廉価な吊ボルト用ケーブル保持具を提供することにある。【解決手段】略Ｊ型に形成した保持具本体１０と、その保持具本体１０の上端から外側斜め上方に延出され、その一側縁には吊ボルトを係止するフック部２１を形成した係止部２０と、その係止部２０に並設した補助片３０と、前記係止部２０より下側の前記保持具本体１０に設けたフック下部４０と、そのフック下部４０の開口側に設けた弾性を有する抜け防止片とからなることを特徴とする。【選択図】図１
2007312548.tif 000002
【特許請求の範囲】
【請求項１】
弾性帯状板を略Ｊ型に形成した保持具本体と、その保持具本体の上端から外側斜め上方に延出され、その一側縁には吊ボルトを係止するフック部を形成した係止部と、その係止部とは吊ボルトが挿通可能な上下間隔を有して前記フック部の開口側に並設した補助片と、前記係止部より下側の前記保持具本体に前記フック部とは吊ボルトに係止する開口方向が反対となるフック下部と、そのフック下部の開口側に設けた弾性を有する抜け防止片とからなることを特徴する吊ボルト用ケーブル保持具。
【請求項２】
金属製弾性帯板により一体的に形成したことを特徴とする請求項１に記載の吊ボルト用ケーブル保持具。
【発明の詳細な説明】
【技術分野】
【０００１】
この発明は電気設備工事において、コンクリート床から垂設した吊ボルトの所望の位置に取付けてケーブルを保持するための保持具に関する。
【背景技術】
【０００２】
従来からケーブルや配管等の長尺材を吊ボルトの所望の位置に保持するための保持具として、帯状のバネ鋼板を略「く」の字状に折り曲げた本体の両辺端部に吊ボルトに係止する切欠部をそれぞれ設けた支持本体を用い、本体の両辺を内側に窄めるようにして両側の切欠部を吊ボルトに係止して固定させるものがあり、その支持本体に長尺材を保持するＵ字形やＪ字形の保持部を装着した保持金具があった。
また、図６に示す実開平３−８１４７５号のように、弾性金属板を「Ｕ」字形に曲げた配管保持部の一端から「く」の字形に屈曲してその一側縁に形成した吊り下げ部材挿入口と、配管保持部の背面に形成した補助係止部を吊ボルトにそれぞれ取付けて固定する保持金具があり、共に、略「く」の字形に折り曲げた形態の金属製弾性帯板の反発力を利用したものであって、支持金具の両側に形成した切欠部乃至吊り下げ部材挿入口と補助係止部を吊ボルトに係止させるのみの取付け作業であるため非常に簡単に取付けることができる。
【特許文献１】実開平３−８１４７５号
【発明の開示】
【発明が解決しようとする課題】
【０００３】
しかし、上記従来の保持金具では吊ボルトに簡単に取付けができるものの、取付け後のケーブルの配線作業時に保持金具に生じる負荷により簡単に外れることが度々あった。
すなわち、ケーブルの配線作業の場合、ケーブルの配置調整やケーブルのダレを修正するため吊ボルトに取付けた保持金具にケーブルを載置した後もケーブルを引っ張る作業があり、ケーブルを引っ張ることで、吊ボルトに取付けられた保持金具も一緒に引き連られて、一方から大きな負荷が加わった状態となり、その負荷が吊ボルトに係止する切欠部の開口方向に向かって加わると保持金具は吊ボルトから簡単に外れてしまい、取付け直しをしなければならないといった作業手間があった。
【０００４】
この発明は上記従来の課題に鑑みなされたもので、その目的は、吊ボルトに簡単に取付けることができると共に、取付け後、ケーブルの引っ張り作業により生じる一方からの大きな負荷に耐えて簡単に吊ボルトから外れない、また、経済的にも有利となる廉価な吊ボルト用ケーブル保持具を提供することにある。
【課題を解決するための手段】
【０００５】
その手段として、本発明の請求項1は弾性帯状板を略Ｊ型に形成した保持具本体と、その保持具本体の上端から外側斜め上方に延出され、その一側縁には吊ボルトを係止するフック部を形成した係止部と、その係止部とは吊ボルトが挿通可能な上下間隔を有して前記フック部の開口側に並設した補助片と、前記係止部より下側の前記保持具本体に前記フック部とは吊ボルトに係止する開口方向が反対となるフック下部と、そのフック下部の開口側に設けた弾性を有する抜け防止片とからなることを特徴する。
【０００６】
本発明の請求項２は金属製弾性帯板により一体的に形成したことを特徴とする。
【発明の効果】
【０００７】
本発明の請求項１は、弾性帯状板を略Ｊ型に形成した保持具本体と、その保持具本体の上端から外側斜め上方に延出され、その一側縁には吊ボルトを係止するフック部を形成した係止部と、前記係止部より下側の前記保持具本体に前記フック部とは吊ボルトに係止する開口方向が反対となるフック下部の構成としたので、吊ボルトに容易に取付けできる。
すなわち、吊ボルトに係止するフック部とフック下部とはそれらの形成位置である保持具本体とその上端から外側斜め上方に突出された係止部とは略「く」の字状に形成されているので、直線状の吊ボルトにフック部とフック下部とを係止させることで弾性帯状板の反発力が生じ、その反発力により吊ボルトに簡単に取付けできるためである。
【０００８】
また、フック部とフック下部の開口側にはそれぞれ補助片、弾性を有する抜け防止片を設けているので、吊ボルトに取付けた後も、ケーブルの引っ張り作業により生じる一方からの大きな負荷に耐えて、簡単に吊ボルトから外れることがない。
すなわち、天井から垂設された吊ボルトに対し、本発明のケーブル保持具をその係止部と補助片との間に吊ボルトが配置した状態で下向きにほぼ90°回転させて吊ボルトをフック部と、フック下部には抜け防止片を乗り越えてそれぞれ嵌入することで、フック部の開口方向には補助片が、フック下部の開口方向には抜け防止片が配置した状態となるのでそれぞれの開口方向への抜け出しを防止することができるためである。
したがって、本発明の請求項１の構成により、吊ボルトに簡単に取付けることができ、ケーブルの配線作業中にも吊ボルトから外れることがないので、再度の取付け作業も不要となり、作業全体の効率の向上を図ることができる。
【０００９】
本発明の請求項２は金属製弾性帯板により一体的に形成したので、プレス加工のみで製作することができることで組立作業等がなくなり、低コストでの製作が可能となるので、経済的にも有利となる。
【発明を実施するための最良の形態】
【００１０】
以下に、本発明に係る吊ボルト用ケーブル保持具の好適な一実施形態を、添付図面を参照して詳細に説明する。
図１乃至図２は本発明の実施例を示す斜視図、図３は側面図である。
１０は保持具本体であり、適宜幅の帯状のバネ鋼板を円弧状のケーブル保持部１１と垂直部１２、両者間の間隙となるケーブル挿入口１３とからなる略Ｊ型に折り曲げて形成する。
また、ケーブル保持部１１の先端を垂直部１２側に向かう角度に折り曲げてケーブル挿入口１３の口幅をケーブル外径より短くすることで、挿入されたケーブルの抜け出しを防止することができる。
１４はケーブル保持部１１の突端を外側に折り曲げて形成したケーブル案内片であり、ケーブル保持部にケーブルを挿入する際、ケーブルを傷つけることなく簡単に挿入するための案内となる。
１５、１５はケーブル保持部１１の底部に設けた２箇所の開口部であり、ケーブルをケーブル保持部１１に載置した後、その開口部１５、１５から樹脂紐等を挿入してケーブルと共に巻止めることで、それらケーブルを固定することができる。
１６、１６はケーブル保持部１１の両側縁に形成した斜片であり、ケーブルがケーブル保持部１１の端面角部に擦れて傷つかないために形成したものである。
また、ケーブル保持部１１の底部に樹脂をコーティングしてケーブルを保護することもできる。
【００１１】
２０は係止部であり、垂直部１２の上端から下方に向かって切り込みを入れて2つに分割した一方を外側に向かって略「く」の字状に折り曲げて形成したもので、その内側縁から吊ボルトが挿入可能になる略「コ」の字状の開口を形成してフック部２１とする。
その際、略「く」の字状になる保持金具本体１０の垂直部１２と係止部２０との交差する角度は110°〜130°が好ましいがこれに限定するものではない。
３０は補助片であり、垂直部１２の２分割した他方を外側に向かってほぼ直角に折り曲げて形成する。
すなわち、係止部２０と補助片３０とは折り曲げた角度が異なることで、側面視した場合は係止部２０と補助片３０との上下間隔に吊ボルトが挿通できる長さを有していると共に、上面視した場合は係止部２０に形成した略「コ」の字状のフック部２１の開口を補助片３０によりほぼ閉塞した状態となる。
【００１２】
４０は係止部２０より下側の保持具本体１０の垂直部１２に略Ｌ型のフック形態の切り込みを入れると共に、基端からほぼ90°折り曲げて形成したフック下部であり、開口の中心軸はフック部２１の開口とほぼ同軸上とし、開口方向はフック部２１の開口方向と反対に形成する。
５０は抜け防止片であり、垂直部１２の背面、フック下部４０の開口側に略Ｕ型に切り込みを入れると共に、基端から上方に折り曲げて形成することで、吊ボルトの挿入方向から見た場合、フック下部４０の開口の一部を閉塞した状態となる。
また、抜け防止片５０は垂直部１２方向に弾性を有するので、吊ボルトが通過の際は一旦垂直片１２側に弾性変形し通過を許すが、通過後、復元することで吊ボルトの開口側への抜けを防止することができる。
【００１３】
次に本発明の実施例の使用方法を説明する。
図４は本発明の実施例の使用状態を示す斜視図、図５は本発明の実施例の使用手順を示す説明図である。
天井から垂設された吊ボルトＡに対し、本発明のケーブル保持具をその係止部２０と補助片３０との間に吊ボルトが配置した状態とし、下向きにほぼ90°回転させ、吊ボルトＡは係止部２０のフック部２１に嵌入すると共に、フック下部４０は抜け防止片５０を乗り越えてそれぞれ嵌入するが、その抜け防止片５０は吊ボルトＡが通過の際は一旦垂直片１２側に弾性変形し通過を許すが、通過後、復元する。
また、吊ボルトＡを嵌入したフック部２１とフック下部４０は、略「く」の字状に交差する保持具本体１０の垂直部１２と係止部２０との形状とバネ鋼板の有する反発力により吊ボルトＡのネジ溝にしっかりと食い込んで固定することができる。
次にケーブルＢをケーブル挿入口１３よりケーブル案内片１４に沿ってケーブル保持部１１に挿入、載置して、ケーブルの配置調整やケーブルのダレを修正するための作業を行った後、ケーブル保持部１１の底部に設けた開口１５、１５から樹脂バンドＣを挿入してケーブルＢと共に巻止めて固定する。
【図面の簡単な説明】
【００１４】
【図１】本発明の実施例を示す斜視図
【図２】本発明の実施例を示す斜視図
【図３】本発明の実施例を示す側面図
【図４】本発明の実施例の使用状態を示す斜視図
【図５】本発明の実施例の使用手順を示す説明図
【図６】従来例を示す側面図
【符号の説明】
【００１５】
１０  保持具本体
２０  係止部
２１  フック部
３０  補助片
４０  フック下部
５０  抜け防止片
Ａ    吊ボルト
Ｂ    ケーブル
【図１】
2007312548.tif 000003
【図２】
2007312548.tif 000004
【図３】
2007312548.tif 000005
【図４】
2007312548.tif 000006
【図５】
2007312548.tif 000007
【図６】
2007312548.tif 000008